(57)【要約】【課題】照明装置を設置するために必要な空間を大きくすることなく、照明装置を設置できるようにする。【解決手段】照明装置１０は、天井に埋め込まれる埋込み型である。本体１３は、直方体形状である。点灯装置は、安定器ボックス１４に収納されている。点灯装置は、側面部３１から突出して設けられている。点灯装置は、側面部３３から突出するように取りつけられている。側面部３２は、側面部３１に対向している。側面部３２は、上面側に傾斜部（斜面部）を有する。【選択図】図３
2014078456.tif 000002
【特許請求の範囲】
【請求項１】
板材に設けられた略長方形状の開口穴に嵌め込んで設置される照明装置において、
上記開口穴よりも大きい外周を有し、上記板材の表側に露出する枠部と、
上記枠部に接続し、上記開口穴の第一内壁に係合する第一側面部と、
上記枠部に接続し、上記開口穴の第一内壁に対向する第二内壁に係合する第二側面部と、
上記第一側面部と上記第二側面部との間に配置された光源と、
上記第一側面部の外側に配置され、上記光源を点灯する点灯装置と
を有し、
上記第一側面部と上記枠部とが接続している第一接続部と、上記第二側面部と上記枠部とが接続している第二接続部との間の距離は、上記第一内壁と上記第二内壁との間の距離と略等しく、
上記第二側面部は、内側に傾斜した傾斜部を有し、
上記枠部に略平行な第一平面と上記第一側面部の外面との交線と、上記第二側面部のうち上記第一平面よりも上記枠部から離れた部分との間の距離は、上記第一内壁と上記第二内壁との間の距離よりも小さく、
上記点灯装置は、上記第一平面よりも、上記板材の厚さ以上上記枠部から離れた位置に配置されている
ことを特徴とする照明装置。
【請求項２】
上記照明装置は、
上記点灯装置を上記第一側面部に固定する固定部を有し、
上記固定部は、上記第一平面よりも、上記板材の厚さ以上上記枠部から離れた位置で、上記第一側面部に接続している
ことを特徴とする請求項１に記載の照明装置。
【請求項３】
上記点灯装置は、上記第一内壁の長さよりも長い細長形状であり、
上記枠部及び上記第一側面部に接する第二平面と、上記点灯装置との間の距離が、上記板材の厚さ以上である
ことを特徴とする請求項１または請求項２に記載の照明装置。
【請求項４】
上記照明装置は、
上記点灯装置を上記第一側面部に固定する固定部を有し、
上記枠部に接し、上記点灯装置との間の距離が上記板材の厚さである第三平面で、上記固定部を切った断面の大きさは、上記板材の開口穴の長辺の長さ以下である
ことを特徴とする請求項３に記載の照明装置。
【請求項５】
上記照明装置は、
上記枠部に接続し、上記開口穴の第一内壁及び第二内壁に対して略垂直な第三内壁に係合する第三側面部と、
上記枠部に接続し、上記開口穴の第三内壁に対向する第四内壁に係合する第四側面部とを有し、
上記点灯装置は、上記第一内壁の長さよりも長い細長形状であり、
上記枠部に接し、上記点灯装置との間の距離が上記板材の厚さである第三平面で、上記第一側面部及び上記第三側面部及び上記第四側面部を切った断面の大きさは、上記板材の開口穴の長辺の長さ以下である
ことを特徴とする請求項１乃至請求項４のいずれかに記載の照明装置。
【請求項６】
上記照明装置は、
上記光源が実装された光源モジュールを有し、
上記光源モジュールは、細長形状であり、長手方向が上記第一側面部に対して略垂直に配置されている
ことを特徴とする請求項１乃至請求項５のいずれかに記載の照明装置。
【発明の詳細な説明】
【技術分野】
【０００１】
この発明は、天井面などに埋め込んで設置される照明装置に関する。
【背景技術】
【０００２】
照明装置には、天井面などに埋め込んで設置されるものや、天井面より下に照明装置が露出したものなどがある。また、照明装置の形状には、直方体形状のもの、円柱形状のもの、細長形状のものなど、様々な形状がある。
【先行技術文献】
【特許文献】
【０００３】
【特許文献１】特開２０１２−９４２９３号公報
【特許文献２】特開２０１２−１４２１６２号公報
【特許文献３】特開２０１２−１４６４９５号公報
【特許文献４】特開２００９−２９５５４４号公報
【特許文献５】特開２０１０−１００６６号公報
【発明の概要】
【発明が解決しようとする課題】
【０００４】
このように様々な種類の照明装置において使用される部品は、なるべく共通化することが望ましい。照明装置の種類ごとに異なる部品を使用すると、多種類の部品を設計・製造・保管・管理するためのコストがかかるからである。
様々な種類の照明装置に共通して用いられる部品の一つに、点灯装置がある。例えば、細長い形状の照明装置に使用される点灯装置は、幅が制限されることから、細長い形状にならざるを得ない。
そこで、細長い形状の点灯装置を、他の種類の照明装置でも使おうとする場合、次のような課題が発生する。
【０００５】
例えば、天井面などに埋め込んで設置される照明装置は、天井面に開口穴を設け、開口穴から照明装置を挿入して設置される。開口穴の大きさは、照明装置の天井面などから露出する部分によって隠れる大きさでなければならない。
このため、点灯装置の長さが、開口穴の大きさより大きい場合、点灯装置をどのようにして開口穴に挿入するかが課題となる。
【０００６】
点灯装置を照明装置の本体から分離した分離型にすると、照明装置を設置するために必要な面積が大きくなり、すぐ近くに他の装置などを設置することができない場合がある。
【０００７】
この発明は、例えば、天井面などに埋め込んで使用される埋込み型の照明装置において、点灯装置の長さよりも開口穴の大きさが小さい場合に、照明装置を設置するために必要な空間を大きくすることなく、照明装置を設置できるようにすることを目的とする。
【課題を解決するための手段】
【０００８】
この発明にかかる照明装置は、板材に設けられた略長方形状の開口穴に嵌め込んで設置される照明装置において、上記開口穴よりも大きい外周を有し、上記板材の表側に露出する枠部と、上記枠部に接続し、上記開口穴の第一内壁に係合する第一側面部と、上記枠部に接続し、上記開口穴の第一内壁に対向する第二内壁に係合する第二側面部と、上記第一側面部と上記第二側面部との間に配置された光源と、上記第一側面部の外側に配置され、上記光源を点灯する点灯装置とを有し、上記第一側面部と上記枠部とが接続している第一接続部と、上記第二側面部と上記枠部とが接続している第二接続部との間の距離は、上記第一内壁と上記第二内壁との間の距離と略等しく、上記第二側面部は、内側に傾斜した傾斜部を有し、上記枠部に略平行な第一平面と上記第一側面部の外面との交線と、上記第二側面部のうち上記第一平面よりも上記枠部から離れた部分との間の距離は、上記第一内壁と上記第二内壁との間の距離よりも小さく、上記点灯装置は、上記第一平面よりも、上記板材の厚さ以上上記枠部から離れた位置に配置されていることを特徴とする。
【発明の効果】
【０００９】
この発明にかかる照明装置によれば、点灯装置の長さよりも開口穴の大きさが小さい場合であっても、照明装置を設置するために必要な空間を大きくすることなく、照明装置を設置することができる。
【図面の簡単な説明】
【００１０】
【図１】実施の形態１における照明装置１０の使用態様を示す斜視図。
【図２】実施の形態１における照明装置１０の使用態様を示す斜視図。
【図３】実施の形態１における照明装置１０の構造を示す正視図。
【図４】実施の形態１における照明装置１０の設置手順を示す正視図。
【図５】実施の形態１における照明装置１０の設置手順を示す図。
【図６】実施の形態１における照明装置１０の設置手順を示す図。
【図７】実施の形態１における照明装置１０の設置手順を示す図。
【図８】実施の形態１における照明装置１０の設置手順を示す図。
【図９】実施の形態１における照明装置１０の設置手順を示す図。
【図１０】実施の形態１における照明装置１０の設置手順を示す図。
【図１１】実施の形態１における照明装置１０の設置過程における天井材８０との係合を示す拡大正視図。
【図１２】実施の形態１における照明装置１０の設置過程における天井材８０との係合を示す拡大正視図。
【図１３】実施の形態１における照明装置１０の設置過程における天井材８０との係合を示す拡大正視図。
【図１４】実施の形態２における照明装置１０の内部の構造を示す断面図及び正視図。
【図１５】実施の形態３における照明装置１０の構造を示す正視図。
【図１６】実施の形態３における照明装置１０の設置過程における天井材８０との係合を示す拡大正視図。
【図１７】実施の形態３における照明装置１０の設置過程における天井材８０との係合を示す拡大正視図。
【図１８】実施の形態３における照明装置１０の設置過程における天井材８０との係合を示す拡大正視図。
【発明を実施するための形態】
【００１１】
実施の形態１．
実施の形態１について、図１〜図１３を用いて説明する。
【００１２】
図１は、この実施の形態における照明装置１０の使用態様を示す斜視図である。
【００１３】
照明装置１０（照明器具）は、例えば、天井面などに埋め込んで設置される埋込スクエアライトである。室内には、例えば、枠１２と、カバー１１とだけが露出している。
【００１４】
図２は、この実施の形態における照明装置１０の使用態様を示す斜視図である。
【００１５】
この図は、天井面に埋め込まれた照明装置１０を、天井裏から見た図である。
天井材８０（板材）には、ほぼ正方形の開口穴８１が設けられている。なお、開口穴８１は、長方形であってもよい。以下の説明においては、正方形も含む意味で「長方形」という用語を使用する。開口穴８１の長辺の長さをａ０とする。開口穴の短辺の長さをｂ０とする。天井材８０の厚さをｃ０とする。開口穴８１が正方形である場合、長さａ０と長さｂ０とは等しい。それ以外の場合、長さａ０は、長さｂ０よりも大きい。
照明装置１０の本体１３や安定器ボックス１４は、開口穴８１から天井裏に挿入され、天井裏に配置される。
【００１６】
図３は、この実施の形態における照明装置１０の構造を示す正視図である。
【００１７】
枠１２（枠部、カバー）は、本体１３の端や開口穴８１が室内に露出しないよう、覆い隠す。枠１２の材質は、例えば白色塗装された鋼板である。枠１２の形状は、ほぼ長方形平面板状である。枠１２の大きさは、外周が開口穴８１よりも一回り大きい。枠１２の長辺の長さをａ１とする。枠１２の短辺の長さをｂ１とする。長さａ１は、長さａ０より大きい。長さｂ１は、長さｂ０より大きい。
枠１２は、開口を有する。開口の形状は、ほぼ長方形状である。開口の大きさは、開口穴８１よりも一回り小さい。開口の長辺の長さをａ２とする。開口の短辺の長さをｂ２とする。長さａ２は、長さａ０より小さい。長さｂ２は、長さｂ０より小さい。
枠１２は、例えば、４つの枠辺部２１〜２４を有する。４つの枠辺部２１〜２４は、開口を囲っている。枠辺部２１は、開口穴８１の長辺の一つに対応して設けられている。枠辺部２２は、開口穴８１のもう一つの長辺に対応して設けられている。枠辺部２３は、開口穴８１の短辺の一つに対応して設けられている。枠辺部２４は、開口穴８１のもう一つの短辺に対応して設けられている。
【００１８】
カバー１１は、照明装置１０の光源が放射した光を拡散する。カバー１１の材質は、例えば乳白色のアクリル板である。カバー１１の形状は、例えばほぼ長方形平面板状である。カバー１１の大きさは、開口穴８１とほぼ同じ大きさである。カバー１１は、枠１２の開口に嵌め込まれている。
【００１９】
本体１３（筐体、器具本体）は、照明装置１０の光源などを所定の位置に配置して内蔵する箱である。本体１３の材質は、例えば白色塗装された鋼板である。本体１３の縦幅をａ３とする。本体１３の横幅をｂ３とする。本体１３の高さをｃ３とする。縦幅ａ３は、長さａ０とほぼ等しい。横幅ｂ３は、長さｂ０とほぼ等しい。本体１３は、開口穴８１に嵌め込まれるので、正確に言えば、縦幅ａ３は、長さａ０より少しだけ小さく、横幅ｂ３は、長さｂ０より少しだけ小さい。また、縦幅ａ３は、長さａ２より大きく、横幅ｂ３は、長さｂ２より大きい。
本体１３は、例えば、４つの側面部３１〜３４と、天面部３５とを有する。
【００２０】
側面部３１（第一側面部）の形状は、例えばほぼ長方形平面板状である。側面部３１の幅は、本体１３の縦幅ａ３とほぼ等しい。側面部３１の高さは、本体１３の高さｃ３とほぼ等しい。側面部３１は、下側の長辺（第一接続部）が枠辺部２１に接続している。側面部３１は、枠１２に対してほぼ垂直に配置されている。
【００２１】
側面部３２（第二側面部）の形状は、例えばほぼ長方形可展面板状である。「可展面」とは、例えば柱や錐の側面など、伸縮することなしに平面に展開することができる面のことである。ここでの説明において、「可展面」という用語は、滑らかでない、すなわち、折り目がある面を含む意味で使用する。「長方形可展面」とは、展開したときに長方形になる可展面のことである。例えば、側面部３２の形状は、長方形の板を、長辺と平行な直線に沿って内側に折り曲げた形状である。側面部３２の幅は、本体１３の縦幅ａ３とほぼ等しい。側面部３２の高さは、本体１３の高さｃ３とほぼ等しい。しかし、側面部３２の上側の部分（傾斜部、傾斜面）は、内側に傾斜しているので、側面部３２を展開した長方形板の短辺の長さは、本体１３の高さｃ３よりも大きい。側面部３２は、下側の長辺（第二接続部）が枠辺部２２に接続している。側面部３２の長辺は、側面部３１の長辺とほぼ平行である。側面部３２は、下側の長辺の付近において、枠１２に対してほぼ垂直であるが、上側の長辺の付近では、枠１２に対して斜めに傾いている。傾斜角は、例えば約１０度である。
側面部３１の下側の長辺と、側面部３２の下側の長辺との間の距離は、本体１３の横幅ｂ３とほぼ等しい。側面部３１の上側の長辺と、側面部３２の上側の長辺との間の距離は、本体１３の横幅ｂ３よりも小さい。
【００２２】
側面部３３（第三側面部）の形状は、例えば長方形の角を切り欠いた形の平面板状である。切り欠きの形状は、側面部３２の形状に沿った形状である。側面部３３の幅は、本体１３の横幅ｂ３とほぼ等しい。側面部３３の高さは、本体１３の高さｃ３とほぼ等しい。側面部３３は、下側の長辺（第三接続部）が枠辺部２３に接続している。側面部３３は、切り欠きのある辺が側面部３２の短辺に接続している。側面部３３は、切り欠きのある辺に対向する辺が側面部３１の短辺に接続している。側面部３３は、枠１２及び側面部３１に対してほぼ垂直に配置されている。側面部３３の長辺は、側面部３１及び側面部３２の長辺に対してほぼ垂直である。
【００２３】
側面部３４（第四側面部）の形状は、例えば側面部３３の形状を左右反転した形状である。側面部３４の幅は、本体１３の横幅ｂ３とほぼ等しい。側面部３４の高さは、本体１３の高さｃ３とほぼ等しい。側面部３４は、下側の長辺（第四接続部）が枠辺部２３に接続している。側面部３４は、切り欠きのある辺が側面部３２の短辺に接続している。側面部３４は、切り欠きのある辺に対向する辺が側面部３１の短辺に接続している。側面部３４は、枠１２及び側面部３１に対してほぼ垂直に配置されている。側面部３４は、側面部３３に対してほぼ平行に配置されている。側面部３４の長辺は、側面部３１及び側面部３２の長辺に対してほぼ垂直であり、側面部３３の長辺に対してほぼ平行である。
側面部３３と側面部３４との間の距離は、本体１３の縦幅ａ３とほぼ等しい。
【００２４】
天面部３５の形状は、例えばほぼ長方形可展面板状である。天面部３５の縦幅は、本体１３の縦幅ａ３とほぼ等しい。天面部３５の横幅は、本体１３の横幅ｂ３よりも小さい。
天面部３５は、例えば、取付穴３５１と、電源穴３５２と、信号線穴３５３とを有する。
取付穴３５１は、吊ボルトを挿入して固定するための貫通穴である。吊ボルトは、照明装置１０を設置する建物の躯体に固定されている。吊ボルトは、例えば、天井材８０に対してほぼ垂直に、開口穴８１のほぼ中央に向かって設置されている。照明装置１０は、取付穴３５１に吊ボルトを挿入して、ナットなどを用いて固定することにより、建物の躯体に固定される。
電源穴３５２は、商用電源などの外部電源からの電源線を本体１３の内側に引き込むための貫通穴である。電源穴３５２から引き込まれた電源線は、例えば天面部３５の内側に配置された電源端子台（不図示）に電気接続される。
信号線穴３５３は、調光信号などの制御信号を照明装置１０に伝達するための信号線を、本体１３の内側に引き込むための貫通穴である。信号線穴３５３から引き込まれた信号線は、例えば天面部３５の内側に配置された信号線端子台（調光信号端子台）（不図示）に電気接続される。
【００２５】
安定器ボックス１４（固定部、点灯装置ユニット）は、点灯装置（不図示）を所定の位置に配置して内蔵する箱である。安定器ボックス１４の材質は、例えば亜鉛めっき鋼板である。
点灯装置は、電源線から供給される電力を、光源を点灯する電力に変換して、光源を点灯するための装置である。点灯装置に接続される配線には、点灯装置に電力を供給するための配線、点灯装置に制御信号を伝達するための配線、点灯装置が変換した電力を光源に供給するための配線などがある。これらの配線は、側面部３１に設けられた貫通穴（不図示）を介して、電源端子台や信号線端子台や光源に接続されている。
点灯装置の形状は、例えば、細長い形状である。これは、点灯装置を、細長い形状など他の形状の照明装置にも使える汎用部品とするためである。点灯装置の長さをａ６とする。点灯装置の幅をｃ６とする。点灯装置の高さをｂ６とする。点灯装置の長さａ６は、長さａ０より大きい。点灯装置の幅ｃ６及び高さｂ６は、本体１３の高さｃ３より小さい。
【００２６】
安定器ボックス１４は、内蔵する点灯装置を、側面部３１の外側に、側面部３１から離れた状態で固定配置する。点灯装置の長さ方向は、側面部３１の長辺に対してほぼ平行である。すなわち、点灯装置の長さ方向は、枠１２及び側面部３１に対してほぼ平行であり、側面部３３及び側面部３４に対してほぼ垂直である。
安定器ボックス１４のうち、点灯装置を収納している収納部分の長さをａ４とする。収納部分の幅をｂ４とする。収納部分の高さをｃ４とする。長さａ４は、点灯装置の長さａ６より少しだけ大きい。幅ｂ４は、点灯装置の高さｂ６より少しだけ大きい。高さｃ４は、点灯装置の幅ｃ６より少しだけ大きい。
また、安定器ボックス１４のうち、収納部分と本体１３とを接続する接続部分の幅をａ５とする。接続部分の長さ、すなわち、収納部分と本体１３との間の距離を、ｂ５とする。接続部分の高さは、収納部分の高さｃ４とほぼ等しい。接続部分の幅ａ５は、本体１３の縦幅ａ３以下である。
安定器ボックス１４は、例えば、外側面部４１と、上側面部４２と、下側面部４３と、２つの端面部４４，４５と、内側面部４６と、接続端面部４８とを有する。
【００２７】
外側面部４１の形状は、例えばほぼ長方形平面板状である。点灯装置は、外側面部４１の内側に固定される。外側面部４１の長さは、収納部分の長さａ４とほぼ等しい。外側面部４１の幅は、収納部分の高さｃ４とほぼ等しい。外側面部４１は、側面部３１に対してほぼ平行である。外側面部４１の長辺は、側面部３１の長辺に対してほぼ平行である。外側面部４１の短辺は、側面部３１の短辺に対してほぼ平行である。
外側面部４１と、側面部３１との間の距離は、収納部分の高さｂ４と接続部分の長さｂ５との合計とほぼ等しい。
【００２８】
上側面部４２の形状は、例えば２つの長方形が連結したＬ字平面板状である。２つの長方形の一つは、収納部分に対応し、もう一つは、接続部分に対応している。収納部分に対応する長方形の長辺の長さは、収納部分の長さａ４とほぼ等しい。収納部分に対応する長方形の短辺の長さは、収納部分の幅ｂ４とほぼ等しい。接続部分に対応する長方形の長辺の長さは、接続部分の幅ａ５とほぼ等しい。接続部分に対応する長方形の短辺の長さは、接続部分の長さｂ５とほぼ等しい。収納部分に対応する長方形の長辺の一つは、外側面部４１に接続し、もう一つの長辺は、接続部分に対応する長方形の長辺に接続している。接続部分に対応する長方形の長辺の一つは、側面部３１に接続し、もう一つの長辺は、収納部分に対応する長方形の長辺に接続している。上側面部４２は、枠１２に対してほぼ平行であり、側面部３１及び外側面部４１に対してほぼ垂直である。
【００２９】
下側面部４３の形状は、例えば上側面部４２の形状を左右反転した形状である。収納部分に対応する長方形の長辺の長さは、収納部分の長さａ４とほぼ等しい。収納部分に対応する長方形の短辺の長さは、収納部分の幅ｂ４とほぼ等しい。接続部分に対応する長方形の長辺の長さは、接続部分の幅ａ５とほぼ等しい。接続部分に対応する長方形の短辺の長さは、接続部分の長さｂ５とほぼ等しい。収納部分に対応する長方形の長辺の一つは、外側面部４１に接続し、もう一つの長辺は、接続部分に対応する長方形の長辺に接続している。接続部分に対応する長方形の長辺の一つは、側面部３１に接続し、もう一つの長辺は、収納部分に対応する長方形の長辺に接続している。下側面部４３は、枠１２及び上側面部４２に対してほぼ平行であり、側面部３１及び外側面部４１に対してほぼ垂直である。
下側面部４３と枠１２との間の距離をｃ５とする。上側面部４２と下側面部４３との間の距離は、収納部分の高さｃ４とほぼ等しい。
【００３０】
端面部４４の形状は、例えばほぼ長方形平面板状である。端面部４４の幅は、収納部分の高さｂ４と接続部分の長さｂ５との合計とほぼ等しい。端面部４４の高さは、収納部分の高さｃ４とほぼ等しい。端面部４４の一辺は、上側面部４２の短辺に接続し、それに対向する一辺は、下側面部４３の短辺に接続している。端面部４４の他の一辺は、外側面部４１の短辺に接続し、それに対向する一辺は、側面部３１の短辺に接続している。端面部４４は、側面部３４とほぼ同一平面を構成し、側面部３３とほぼ平行である。端面部４４は、側面部３１及び外側面部４１及び上側面部４２及び下側面部４３に対してほぼ垂直である。
【００３１】
端面部４５の形状は、例えばほぼ長方形平面板状である。端面部４５の幅は、収納部分の高さｂ４とほぼ等しい。端面部４５の高さは、収納部分の高さｃ４とほぼ等しい。端面部４５の一辺は、上側面部４２の収納部分に対応する一辺に接続し、それに対向する一辺は、下側面部４３の収納部分に対応する一辺に接続している。端面部４５の他の一辺は、外側面部４１の短辺に接続している。端面部４５は、側面部３３及び側面部３４及び端面部４４に対してほぼ平行であり、側面部３１及び外側面部４１及び上側面部４２及び下側面部４３に対してほぼ垂直である。
端面部４４と端面部４５との間の距離は、収納部分の長さａ４とほぼ等しい。
【００３２】
内側面部４６の形状は、例えばほぼ長方形平面板状である。内側面部４６の幅は、収納部分の長さａ４と接続部分の幅ａ５との差とほぼ等しい。内側面部４６の高さは、収納部分の高さｃ４とほぼ等しい。内側面部４６の一辺は、上側面部４２の一辺に接続し、それに対向する一辺は、下側面部４３の一辺に接続している。内側面部４６の他の一辺は、端面部４５の一辺に接続している。内側面部４６は、側面部３１及び外側面部４１に対してほぼ平行であり、枠１２及び上側面部４２及び下側面部４３及び端面部４４及び端面部４５に対してほぼ垂直である。
外側面部４１と内側面部４６との間の距離は、収納部分の幅ｂ４とほぼ等しい。内側面部４６と側面部３１との間の距離は、接続部分の長さｂ５とほぼ等しい。
【００３３】
接続端面部４８の形状は、例えばほぼ長方形平面板状である。接続端面部４８の幅は、接続部分の長さｂ５とほぼ等しい。接続端面部４８の高さは、接続部分の高さ（すなわち、収納部分の高さｃ４）とほぼ等しい。接続端面部４８の一辺は、内側面部４６の一辺に接続している。それに対向する一辺は、側面部３１に接続している。他の一辺は、上側面部４２に接続している。それに対向する一辺は、下側面部４３に接続している。接続端面部４８は、側面部３３及び側面部３４及び端面部４４及び端面部４５に対してほぼ平行であり、側面部３１及び外側面部４１及び上側面部４２及び下側面部４３及び内側面部４６に対してほぼ垂直である。
【００３４】
次に、照明装置１０の設置手順について説明する。
【００３５】
図４は、この実施の形態における照明装置１０の設置手順を示す正視図である。
【００３６】
この図は、照明装置１０の設置手順の最初の工程を示す。左上の図は、天井裏側から開口穴８１を見下ろす方向から見た天面図である。左下の図は、開口穴８１の長辺に平行な方向から見た側面図である。右下の図は、開口穴８１の短辺に平行な方向から見た側面図である。なお、煩雑を避けるため、照明装置１０の細部の符号は、省略しているので、図３等を参照されたい。以下、図５〜図１０において、同様である。
【００３７】
天井裏において、躯体８５は、天井材８０と平行な面をなしている。躯体８５と天井材８０との間の距離をｃ１とする。吊ボルト８６（アンカーボルト）は、躯体８５に対してほぼ垂直に固定されている。吊ボルト８６は、開口穴８１のほぼ中央を通る軸上に位置する。
【００３８】
まず、照明装置１０の安定器ボックス１４の側を上にして、端面部４５の側を開口穴８１に対して斜めに挿入する。
【００３９】
図５は、この実施の形態における照明装置１０の設置手順を示す図である。
この図は、安定器ボックス１４の端面部４５の側を開口穴８１に挿入した状態を示す。
次に、安定器ボックス１４の端面部４４の側を持ち上げて、開口穴８１に挿入する。
【００４０】
図６は、この実施の形態における照明装置１０の設置手順を示す図である。
この図は、安定器ボックス１４の端面部４４の側を開口穴８１に挿入して、枠辺部２１がほぼ水平になった状態を示す。
次に、天井材８０に対してほぼ垂直な軸を中心にして、照明装置１０を水平方向に回転させる。
【００４１】
図７は、この実施の形態における照明装置１０の設置手順を示す図である。
この図は、照明装置１０を回転させて、枠辺部２１が開口穴８１の長辺とほぼ平行になった状態を示す。
次に、開口穴８１の長辺とほぼ平行な軸を中心にして、枠辺部２２の側を持ち上げるように、照明装置１０を回転させる。
【００４２】
図８は、この実施の形態における照明装置１０の設置手順を示す図である。
この図は、照明装置１０を回転させて、側面部３１が、開口穴８１の内壁に接触した状態を示す。
照明装置１０の回転をそのまま続けると、照明装置１０は、側面部３１と開口穴８１の内壁とが接触している位置を中心にして回転する。
【００４３】
図９は、この実施の形態における照明装置１０の設置手順を示す図である。
この図は、照明装置１０を回転させて、側面部３２が開口穴８１に挿入された状態を示す。
側面部３２が開口穴に挿入されたら、照明装置１０を押し込んで、天井材８０に対してほぼ垂直な方向へ移動させる。
【００４４】
図１０は、この実施の形態における照明装置１０の設置手順を示す図である。
この図は、照明装置１０が設置位置に納まった状態を示す。
この状態において、吊ボルト８６の先端が、取付穴３５１を通って、本体１３の内側に出ているので、座金やナットなどを使って、本体１３を吊ボルト８６に固定する。
【００４５】
次に、このような設置手順で照明装置１００を設置するための条件について説明する。
【００４６】
図１１は、この実施の形態における照明装置１０の設置過程における天井材８０との係合を示す拡大正視図である。
この図は、図７の状態を示している。
【００４７】
内壁８１１及び内壁８１２は、開口穴８１の長辺に相当する内壁である。内壁８１３及び内壁８１４は、開口穴８１の短辺に相当する内壁である。
【００４８】
図６の状態から図７の状態へ移るには、照明装置１０を、垂直軸を中心に回転させたとき、側面部３４や端面部４４が内壁８１４に当たらずに回転できることが必要である。
【００４９】
図６から図７にかけての状態において、安定器ボックス１４が天井材８０の上に乗り、内側面部４６と下側面部４３とが接する辺４６３が、天井材８０の裏面に接する。
図７の状態において、枠辺部２１の外周の上側の辺２１１が、天井材８０の表面に接する。この状態で、照明装置１０を内壁８１３の側に押しつけたとすると、側面部３３が内壁８１３に当接する。側面部３３と内壁８１３とが接する部分の形状は、直角三角形である。点３３１は、この直角三角形の頂点の一つであり、側面部３３と側面部３１とが接する辺上に位置する。点３３５は、この直角三角形の別の頂点であり、側面部３３と天面部３５とが接する辺上に位置する。
点３３１及び点３３５は、天井材８０のおもて面を含む平面上に位置する。この平面（第三平面）は、辺２１１を含み、辺４６３からの距離が、天井材８０の厚さｃ０と等しい平面（以下「表当接平面」と呼ぶ。）である。
【００５０】
点３３１を通り天井材８０に対して垂直な軸を中心にして照明装置１０を回転したとき、照明装置１０が内壁８１４に当たらなければ、図６の状態から図７の状態へ移ることができる。
内壁８１４に当たる可能性があるのは、この図において、天井材８０のおもて面より上で、天井材８０の裏面より下に位置する部分である。すなわち、表当接平面と、辺４６３を含み、当接平面と平行な平面（以下「裏当接平面」と呼ぶ。）との間の部分である。
表当接平面と裏当接平面との間の部分のうち点３３１から最も遠い点までの距離が、開口穴８１の長辺の長さａ０以下であれば、内壁８１４に当たらずに回転できる。この例において、この部分のうち点３３１から最も遠い点は、点３４５である。点３４５は、表当接平面上に位置し、側面部３４と天面部３５とが接する辺上の点である。点３３１と点３４５との間の距離が長さａ０以下であれば、図６の状態から図７の状態へ移ることができる。
【００５１】
このように、照明装置１０は、表当接平面で本体１３を切った断面の大きさが、開口穴８１の長辺の長さａ０以下なので、上述した設置手順で照明装置１０を設置することができる。ここで、「断面の大きさ」とは、断面上にある２つの点の間の距離のうち、最大のものをいう。例えば、断面の形状が長方形であれば、断面の大きさは、対角線の長さである。
【００５２】
図１２は、この実施の形態における照明装置１０の設置過程における天井材８０との係合を示す拡大正視図である。
この図は、図１１と同様、図７の状態を示している。図１１と異なる点は、天井材８０の厚さｃ０が、図１１よりも小さい点である。
【００５３】
天井材８０の厚さｃ０が小さい場合、図７の状態で、照明装置１０を内壁８１３の側に押しつけたとしても、側面部３３が内壁８１３に当接しない。具体的には、側面部３１と天面部３５とが接する辺３１５と辺２１１とを含む平面（第二平面）と、辺４６３との間の距離が、天井材８０の厚さｃ０より大きい場合、側面部３３は内壁８１３に当接しない。
側面部３３が内壁８１３に当接しないので、安定器ボックス１４の接続部分である上側面部４２及び下側面部４３の側辺が内壁８１３に当接する。点４７２は、上側面部４２と内壁８１３とが接する点のうち、天井材８０のおもて面を含む平面上に位置する点である。点４７３は、下側面部４３と内壁８１３とが接する点のうち、天井材８０の裏面を含む平面上に位置する点である。点４７３は、辺４６３の端点でもある。
【００５４】
この場合、点４７３を通り天井材８０に対して垂直な軸を中心にして照明装置１０を回転したとき、照明装置１０が内壁８１４に当たらなければ、図６の状態から図７の状態へ移ることができる。
内壁８１４に当たる可能性があるのは、この図において、天井材８０のおもて面より上で、天井材８０の裏面より下に位置する部分である。この場合における表当接平面は、辺２１１を含み、辺４６３からの距離が天井材８０の厚さと等しい平面であり、裏当接平面は、辺４６３を含み、表当接平面と平行な平面である。
表当接平面と裏当接平面との間の部分のうち点４７３から最も遠い点までの距離が、開口穴８１の長辺の長さａ０以下であれば、内壁８１４に当たらずに回転できる。この例において、この部分のうち点３３１から最も遠い点は、点４４２である。点４４２は、表当接平面上に位置し、端面部４４と上側面部４２とが接する辺上の点である。点４７３と点４４２との間の距離が長さａ０以下であれば、図６の状態から図７の状態へ移ることができる。
【００５５】
このように、枠１２及び第一側面部３１に接する平面から、点灯装置を収納した安定器ボックス１４の収納部分が、天井材８０の厚さｃ０以上離れている場合には、表当接平面で安定器ボックス１４の固定部分を切った断面の大きさが、開口穴８１の長辺の長さａ０以下であれば、上述した設置手順で照明装置１０を設置することができる。
【００５６】
図１３は、この実施の形態における照明装置１０の設置過程における天井材８０との係合を示す拡大正視図である。
この図は、図９の状態を示している。
【００５７】
図８の状態から図９の状態へ移るには、照明装置１０を、開口穴８１の長辺に対して平行な軸を中心に回転させたとき、側面部３２が内壁８１２に当たらずに回転できることが必要である。
【００５８】
図８から図９にかけての状態において、安定器ボックス１４が天井材８０の上に乗り、下側面部４３が、線分４３１において、開口穴８１の内壁８１１の上側の辺に接する。
また、照明装置１０を内壁８１１の側に押しつけたとすると、側面部３１が、線分３１１において、開口穴８１の内壁８１１の下側の辺に接する。
線分３１１及び線分４３１の位置は、照明装置１０の傾きによって変化する。しかし、下側面部４３と側面部３１とが接する辺３１３と、線分３１１との間の距離は、天井材８０の厚さｃ０以下である。また、照明装置１０の傾きが小さい場合、辺３１３と線分３１１との間の距離は、厚さｃ０にほぼ等しい。そこで、線分３１１は、辺３１３からｃ０だけ離れた位置にあるものとする。
【００５９】
線分３１１を中心軸として、照明装置１０を回転したとき、照明装置１０が内壁８１２に当たらなければ、図８の状態から図９の状態へ移ることができる。
内壁８１２に当たる可能性があるのは、側面部３２のうち、直線３２１より上の部分である。直線３２１は、線分３１１を含み、枠１２に平行な平面（第一平面）と、側面部３２との交線である。照明装置１０を回転させて直線３２１の位置まで開口穴８１に入ったら、その後は、照明装置１０を平行移動させて、図１０の状態にする。
したがって、側面部３２のうち、直線３２１より上の部分と、線分３１１との間の距離が、開口穴８１の短辺の長さｂ０以下であれば、図８の状態から図１０の状態へ移ることができる。
【００６０】
仮に、本体１３が直方体形状であり、側面部３２が側面部３１と平行な平面板状であったとすると、側面部３２の上側の部分と線分３１１との間の距離が長さｂ０を超え、上述した設置手順で照明装置１０を設置できない場合がある。
【００６１】
これに対し、この実施の形態における照明装置１０は、側面部３２に、内側に傾斜した傾斜部が設けられているので、側面部３２の上側の部分と線分３１１との間の距離が長さｂ０以下となり、上述した設置手順で照明装置１０を設置することができる。
【００６２】
なお、天井材８０の厚さｃ０が既知であるものとして説明したが、実際には、設置場所によって天井材８０の厚さｃ０が異なる場合がある。
そこで、あらかじめ想定される天井材８０の厚さｃ０の範囲を設定し、その範囲の上限値について、上述の条件を満たすよう、照明装置１０の各部の形状・大きさを設計する。天井材８０の厚さｃ０が大きいほど、条件が厳しくなるので、厚さｃ０の上限値について条件を満たしていれば、設定した範囲内のすべての厚さｃ０について条件を満たすことができるからである。
【００６３】
また、点灯装置が本体１３の上ではなく、横に配置されているので、照明装置１０の高さを抑えることができる。また、光源で発生した熱を天面部３５から外部に放熱することができるので、放熱効率が高い。
【００６４】
なお、側面部３２の形状は、平面板を折り曲げて、上側に傾斜部を設けた形状に限らず、他の形状であってもよい。
例えば、側面部３２の形状は、全体が内側に傾斜した平面板状であってもよい。そうすれば、本体１３の加工が容易になり、照明装置１０の製造コストを下げることができる。
あるいは、側面部３２の形状は、傾斜角度が滑らかに変化し、折り目のない曲面板状であってもよい。特に、側面部３２のうち直線３２１より上の部分を、線分３１１を中心軸とする円筒側面板状に形成すれば、本体１３の内部空間を最大限に広くすることができる。
【００６５】
また、点灯装置は、収納部分のなかに配置されていればよく、外側面部４１の内側ではなく、上側面部４２や下側面部４３の内側に固定されている構成であってもよい。
【００６６】
実施の形態２．
実施の形態２について、図１４を用いて説明する。
なお、実施の形態１と共通する部分については、同一の符号を付し、説明を省略する。
【００６７】
照明装置１０の外部形状は、実施の形態１と同様である。この実施の形態では、照明装置１０の内部構造について説明する。
【００６８】
図１４は、この実施の形態における照明装置１０の内部の構造を示す断面図及び正視図である。
上側の２つの図は、９０度異なる２つの鉛直面で切断した断面図である。下側の図は、本体１３の内部が見えるよう枠１２を外した状態を示す底面図である。
【００６９】
照明装置１０の本体１３のなかには、複数のＬＥＤモジュール１５ａ〜１５ｄ（以下「ＬＥＤモジュール１５」と呼ぶ場合がある。）と、反射板１６と、点灯装置１７とがある。また、照明装置１０の安定器ボックス１４のなかには、点灯装置１７がある。
【００７０】
点灯装置１７は、外郭ケースと、点灯回路とを有する。外郭ケースは、例えば蒲鉾状（台形状）である。点灯回路は、外郭ケースのなかに収納されている。点灯回路は、例えば、基板と、基板に実装された電子部品とを有する。
【００７１】
それぞれのＬＥＤモジュール１５（光源モジュール）の形状は、例えば、細長い形状である。ＬＥＤモジュール１５の長さをｂ６とする。それぞれのＬＥＤモジュール１５は、複数のＬＥＤ１５１（光源）を有する。複数のＬＥＤ１５１は、ＬＥＤモジュール１５の長手方向に並べて配置されている。また、ＬＥＤモジュール１５は、透光カバー１５２を有する。透光カバー１５２の材質は、例えば乳白色のアクリル板である。透光カバー１５２の形状は、例えば長方形平面板状である。透光カバー１５２は、複数のＬＥＤ１５１を覆っている。透光カバー１５２は、ＬＥＤ１５１が放射した光を拡散透過する。なお、透光カバー１５２は、透明であってもよい。
【００７２】
ＬＥＤモジュール１５は、ネジなどの固定部材を用いて、天面部３５に固定されている。ＬＥＤ１５１で発生した熱を効率よく放熱するため、ＬＥＤモジュール１５は、天面部３５と直接あるいは放熱シートなどを介して熱結合している。ＬＥＤモジュール１５と、天面部３５との熱結合を高めるため、ＬＥＤモジュール１５を固定する固定部材は、複数あり、例えばＬＥＤモジュール１５の長辺に沿った位置に配置され、ＬＥＤモジュール１５を天面部３５（あるいは放熱シート）にしっかりと密着させる。
【００７３】
それぞれのＬＥＤモジュール１５の長手方向は、枠１２及び側面部３３及び側面部３４及び天面部３５に対してほぼ平行であり、側面部３１に対してほぼ垂直である。
複数のＬＥＤモジュール１５ａ〜１５ｄは、枠１２及び側面部３１及び天面部３５に対してほぼ平行であり、側面部３３及び側面部３４に対してほぼ垂直な方向に、並べて配置されている。
【００７４】
反射板１６は、ＬＥＤ１５１が放射した光を反射する。反射板１６の形状は、例えばＶ字形状など山型に折り曲げられたほぼ長方形可展面板状である。反射板１６の材質は、例えば白色塗装された鋼板である。反射板１６は、例えば、ＬＥＤモジュール１５ｂと、ＬＥＤモジュール１５ｃとの間に挟まれた位置に、並べて配置されている。反射板１６は、着脱可能であり、電源端子台や信号線端子台などが見えないよう覆い隠す。
【００７５】
ＬＥＤ１５１が放射した光は、透光カバー１５２を透過して、ＬＥＤモジュール１５の外部に出射する。ＬＥＤモジュール１５から出射した光の一部は、カバー１１に直接入射し、他の一部は、反射板１６や側面部３１〜３４の内側に反射して、カバー１１に入射する。カバー１１に入射した光は、拡散して、照明装置１０の外部に出射する。
【００７６】
ＬＥＤモジュール１５の長さｂ７は、天面部３５の横幅より小さい。これにより、ＬＥＤモジュール１５は、側面部３２の形状の影響を受けることなく、天面部３５にしっかりと固定される。
【００７７】
仮に、ＬＥＤモジュール１５の長手方向が、９０度異なり、側面部３１に対してほぼ平行で、側面部３３及び側面部３４に対してほぼ垂直であるとすると、側面部３２の側の端に位置するＬＥＤモジュール１５は、側面部３２の形状の影響を受け、天面部３５にしっかりと固定できなくなり、ＬＥＤ１５１の放熱ができない。天面部３５にしっかりと固定できる範囲内にのみ、ＬＥＤモジュール１５を配置すると、本体１３内に収容できるＬＥＤモジュール１５の数が少なくなり、照明装置１０が放射する光束が低下する。
【００７８】
これに対し、この実施の形態における照明装置１０は、ＬＥＤモジュール１５の長手方向が、側面部３１に対してほぼ垂直に配置されているので、照明装置１０が放射する光束を低下させることなく、ＬＥＤモジュール１５を天面部３５にしっかりと固定し、ＬＥＤ１５１で発生した熱を効率よく放熱することができる。
【００７９】
実施の形態３．
実施の形態３について、図１５〜図１８を用いて説明する。
なお、実施の形態１または実施の形態２と共通する部分については、同一の符号を付し、説明を省略する。
【００８０】
図１５は、この実施の形態における照明装置１０の構造を示す正視図である。
なお、細部は、省略している。
【００８１】
側面部３２の上側の部分の形状は、平面ではなく、例えば円筒側面などの曲面である。
側面部３３には、窪み部３６が設けられている。窪み部３６は、側面部３３と側面部３１とが接する辺の一部を削り取った形状を有する。
上側面部４２の形状は、Ｌ字形状ではなく、Ｔ字形状である。端面部４４は、側面部３４と同一平面ではなく、側面部３４よりも突出している。すなわち、安定器ボックス１４の収納部分は、側面部３３の側にはみ出ているだけではなく、側面部３４の側にも、本体１３よりはみ出ている。
上側面部４２は、天面部３５とほぼ同一平面を構成している。すなわち、安定器ボックス１４の収納部分の上端は、本体１３の上端と同じ高さにある。
下側面部４３には、面取り部４７が設けられている。面取り部４７は、安定器ボックス１４の収納部分と接続部分との境目の部分を、斜めに面取りした形状である。安定器ボックス１４の接続部分の高さは、収納部分の高さと比べて、面取り部４７の分だけ小さい。
【００８２】
それ以外の点については、実施の形態１と同様なので、説明を省略する。
【００８３】
次に、実施の形態１と同様の設置手順で照明装置１００を設置するための条件について説明する。
【００８４】
図１６は、この実施の形態における照明装置１０の設置過程における天井材８０との係合を示す拡大正視図である。
この図は、図６の状態を示している。
【００８５】
図５の状態から図６の状態へ移るには、照明装置１０を、天井材８０に平行な軸を中心として回転させたとき、端面部４４が内壁８１１や内壁８１４に当たらずに回転できることが必要である。
【００８６】
図６の状態において、照明装置１０を、内壁８１２と内壁８１３とがなす角の部分に押しつけたとすると、側面部３３と天面部３５とが接する辺が内壁８１２に当接し、窪み部３６が内壁８１３に当接する。点３３５は、このとき内壁８１２に当接する点である。点３６１は、このとき内壁８１３に当接する点である。
【００８７】
照明装置１０を、点３３５と点３６１とを通る軸を中心に回転させたとき、内壁８１１及び内壁８１４に当たる可能性があるのは、それぞれ、点４１４及び点４２４である。点４１４と点４２４とを結ぶ線分は、点３３５と点３６１とを通る軸に対して平行である。点３３５と点３６１とを通る軸に対して平行で、端面部４４を通る線分の長さをｄ１とすると、点４１４と点４２４とを結ぶ線分は、そのうち、長さｄ１が最大になる線分である。
点４１４と点４２４とを結ぶ線分と、点３３５と点３６１とを通る軸との間の距離をｄ２とする。点３３５と点３６１とを通る軸を中心に照明装置１０を回転させると、点４１４は、点４１４’を通り、点４２４は、点４２４’を通る。点４１４’及び点４２４’は、天井材８０のおもて面を含む平面上に位置する。点４１４’及び点４２４’が開口穴８１の内側にあれば、照明装置１０が内壁８１１及び内壁８１４に当たらず、図５の状態から図６の状態へ移ることができる。
【００８８】
このように、安定器ボックス１４の収納部分が、側面部３４の側にはみ出ている場合でも、上述した条件を満たしていれば、実施の形態１と同様の設置手順で照明装置１０を設置することができる。
【００８９】
図１７は、この実施の形態における照明装置１０の設置過程における天井材８０との係合を示す拡大正視図である。
この図は、図７の状態を示している。
【００９０】
図６の状態から図７の状態へ移ることができる条件は、実施の形態１と同様である。
ただし、窪み部３６が設けられているため、点３３１の位置が、実施の形態１より点３３５に近い位置になる。これにより、点３３１と点３４５との間の距離が小さくなるので、実施の形態１より制約が緩くなる。すなわち、窪み部３６が設けられていない場合と比べて、照明装置１０を設置できる天井材８０の厚さｃ０の上限値が大きくなる。
【００９１】
この場合、表当接平面で本体１３を切った断面は、長方形の角を切り取った五角形になる。この場合、表当接平面で本体１３を切った断面の大きさは、長方形の対角線をなす点３３５と点３４１との間の距離であるが、点３３１と点３４５との間の距離は、それよりも小さい。すなわち、窪み部３６を設けることにより、表当接平面で本体１３を切った断面の大きさが長さａ０より大きくても、上述した設置手順で照明装置１０を設置することができる。
照明装置１０の回転は、側面部３１が開口穴８１の長辺方向と平行になるところまでで終わるので、点３３１と点３３５とを結ぶ対角線が、開口穴８１の長辺方向と平行になることはない。したがって、点３３１と点３３５とを結ぶ対角線の長さが、長さａ０より大きくても、上述した設置手順で照明装置１０を設置することができる。
そこで、断面上にある点と、その点よりも側面部３４の側にあり、かつ、天面部３５の側にある点との間の距離のうち最大のものを「断面の回転方向における大きさ」と定義する。この定義によれば、この場合における「断面の回転方向における大きさ」は、点３３１と点３４５との間の距離である。
照明装置１０は、表当接平面で本体１３を切った断面の回転方向における大きさが、開口穴８１の長辺の長さａ０以下であれば、上述した設置手順で照明装置１０を設置することができる。
【００９２】
なお、天井材８０の厚さｃ０の上限値を変えないとすると、窪み部３６を設けたことにより、窪み部３６を設けない場合と比べて、安定器ボックス１４の接続部分の長さｂ５を小さくすることができる。これにより、照明装置１０の設置に必要な空間が小さくなる。
【００９３】
更に、安定器ボックス１４に面取り部４７が設けられているので、面取り部４７が設けられていない場合よりも、照明装置１０を設置できる天井材８０の厚さｃ０の上限値を大きくすることができ、安定器ボックス１４の接続部分の長さｂ５を小さくすることができる。
面取り部４７の角度は、天井材８０の厚さｃ０が上限値である場合における表当接平面と面取り部４７とがほぼ平行になる角度とすることが望ましい。
【００９４】
また、安定器ボックス１４の位置が高くなっている分、面取り部４７の位置が高くなる。これにより、照明装置１０を設置するのに必要な空間の高さを大きくすることなく、照明装置１０を設置できる天井材８０の厚さｃ０の上限値を大きくすることができ、安定器ボックス１４の接続部分の長さｂ５を小さくすることができる。
【００９５】
図１８は、この実施の形態における照明装置１０の設置過程における天井材８０との係合を示す拡大正視図である。
この図は、図９の状態を示している。
【００９６】
図８の状態から図９の状態へ移ることができる条件は、実施の形態１と同様である。
ただし、安定器ボックス１４の位置が高くなっている分、線分３１１の位置が高くなる。これにより、側面部３２の直線３２１より上側の部分と線分３１１との間の距離を、開口穴８１の短辺の長さｂ０より小さくするために、側面部３２を内側に傾斜させなければならない量が少なくなる。これにより、本体１３の内側の空間を広くすることができる。
【００９７】
以上、各実施の形態で説明した構成は、一例であり、他の構成であってもよい。例えば、異なる実施の形態で説明した構成を矛盾しない範囲で組み合わせた構成であってもよいし、本質的でない部分の構成を、他の構成で置き換えた構成であってもよい。
【００９８】
例えば、安定器ボックス１４は、点灯装置を完全に覆っていない構成であってもよい。例えば、安定器ボックス１４は、端面部４４や端面部４５がなく、一端または両端が開放している構成であってもよい。
【００９９】
また、照明装置１０は、カバー１１がない下面開放型であってもよい。
【符号の説明】
【０１００】
１０  照明装置、１１  カバー、１２  枠、１３  本体、１４  安定器ボックス、１５  ＬＥＤモジュール、１５１  ＬＥＤ、１５２  透光カバー、１６  反射板、１７  点灯装置、２１，２２，２３，２４  枠辺部、２１１，３１３，３１５，４６３  辺、３１，３２，３３，３４  側面部、３１１，４３１  線分、３２１  直線、３３１，３３５，３４１，３４５，３６１，４１４，４２４，４４２，４７２，４７３  点、３５  天面部、３５１  取付穴、３５２  電源穴、３５３  信号線穴、３６  窪み部、４１  外側面部、４２  上側面部、４３  下側面部、４４，４５  端面部、４６  内側面部、４７  面取り部、４８  接続端面部、８０  天井材、８１  開口穴、８１１，８１２，８１３，８１４  内壁、８５  躯体、８６  吊ボルト。
【図１】
2014078456.tif 000003
【図２】
2014078456.tif 000004
【図３】
2014078456.tif 000005
【図４】
2014078456.tif 000006
【図５】
2014078456.tif 000007
【図６】
2014078456.tif 000008
【図７】
2014078456.tif 000009
【図８】
2014078456.tif 000010
【図９】
2014078456.tif 000011
【図１０】
2014078456.tif 000012
【図１１】
2014078456.tif 000013
【図１２】
2014078456.tif 000014
【図１３】
2014078456.tif 000015
【図１４】
2014078456.tif 000016
【図１５】
2014078456.tif 000017
【図１６】
2014078456.tif 000018
【図１７】
2014078456.tif 000019
【図１８】
2014078456.tif 000020